(57)【要約】【課題】握力が弱った年配者であっても、容易に身体を支えることができる手摺を提供する。【解決手段】手摺１０は、壁面２０に沿って延設され壁面２０に固定される取付部２２と、取付部２２の長手方向に沿って設けられ取付部２２から立ち上がる立上がり部２４と、立上がり部２４の長手方向に沿って設けられ、立上がり部２４の上部に連結された手摺部２６と、手摺部２６の上部に形成された平坦部２８と、を有する。【選択図】図２
2018028213.tif 000002
【特許請求の範囲】
【請求項１】
壁面に沿って延設され前記壁面に固定される取付部と、
前記取付部の長手方向に沿って設けられ前記取付部から立ち上がる立上がり部と、
前記立上がり部の長手方向に沿って設けられ、前記立上がり部の上部に連結された手摺部と、
前記手摺部の上部に形成された平坦部と、
を有する手摺。
【請求項２】
長手方向から見て、前記平坦部の前記壁面側の端部から前記手摺部の下端部にわたって第１曲面が形成されており、
前記立上がり部に形成された立面が前記第１曲面の下端部と連結されている、
請求項１に記載の手摺。
【請求項３】
長手方向から見て、前記平坦部の前記壁面から離れた側の端部から前記手摺部の下端部にわたって第２曲面が形成されており、
前記取付部及び前記手摺部の前記壁面から離れた側にカバー部材を取付けたとき、前記第２曲面の接線上に前記カバー部材の表面が位置する、
請求項２に記載の手摺。
【発明の詳細な説明】
【技術分野】
【０００１】
本発明は、壁面に固定される手摺に関する。
【背景技術】
【０００２】
従来、病院や福祉施設等では、壁面との間に隙間なく連続して取付けられる手摺が用いられている。このような手摺として、例えば特許文献１には、壁面に固定される取付部と、取付部から上方に突出するアーム部と、アーム部の上部に膨隆する手摺部と、を備える手摺本体が開示されている。
【先行技術文献】
【特許文献】
【０００３】
【特許文献１】特開２０１６−１７３１８号公報
【発明の概要】
【発明が解決しようとする課題】
【０００４】
特許文献１の手摺本体では、使用者が手摺本体を握った際に掌の周長をもたせるために、手摺部の上端に掌支持部が形成されている。しかし、掌支持部が円弧状に隆起しているため、握力が弱った年配者にとって、手摺本体を握って身体を支えることが難しかった。
【０００５】
本発明は、上記事実を考慮し、握力が弱った年配者であっても、容易に身体を支えることができる手摺を提供することを目的とする。
【課題を解決するための手段】
【０００６】
請求項１に記載の手摺は、壁面に沿って延設され前記壁面に固定される取付部と、前記取付部の長手方向に沿って設けられ前記取付部から立ち上がる立上がり部と、前記立上がり部の長手方向に沿って設けられ、前記立上がり部の上部に連結された手摺部と、前記手摺部の上部に形成された平坦部と、を有する。
【０００７】
上記構成によれば、手摺の取付部が壁面に沿って延設されているため、手摺を壁面に沿って連続して固定することができる。また、取付部から立ち上がる立上がり部の上部に手摺部が連結されており、手摺部の上部に平坦部が形成されている。このため、使用者は、手摺部を握る方法の他、手のひらを平坦部に置く方法によって身体を支えることができ、使用者が握力が弱った年配者であっても容易に身体を支えることができる。
【０００８】
請求項２に記載の手摺は、請求項１に記載の手摺であって、長手方向から見て、前記平坦部の前記壁面側の端部から前記手摺部の下端部にわたって第１曲面が形成されており、前記立上がり部に形成された立面が前記第１曲面の下端部と連結されている。
【０００９】
上記構成によれば、立上がり部に形成された立面と第１曲面とが連結されることにより、立面と第１曲面とが不連続面となっている。このため、立面と第１曲面とが連続面とされている構成と比較して、手摺部の上方から第１曲面の下端部に使用者が指先を差し入れて手摺部を握った際に、手摺部が握り易い。
【００１０】
請求項３に記載の手摺は、請求項２に記載の手摺であって、長手方向から見て、前記平坦部の前記壁面から離れた側の端部から前記手摺部の下端部にわたって第２曲面が形成されており、前記取付部及び前記手摺部の前記壁面から離れた側にカバー部材を取付けたとき、前記第２曲面の接線上に前記カバー部材の表面が位置する。
【００１１】
上記構成によれば、手摺の壁面から離れた側において、取付部及び手摺部にカバー部材を取付けた際に、第２曲面の接線上にカバー部材の表面が位置する。このため、壁面から離れた側において、手摺に出っ張り部分がないため、使用者が手摺を使用した際に手摺に引っ掛かる虞が少ない。
【発明の効果】
【００１２】
本発明によれば、握力が弱った年配者であっても、容易に身体を支えることができる手摺を提供することができる。
【図面の簡単な説明】
【００１３】
【図１】（Ａ）は本発明の実施形態の一例における手摺を示す斜視図であり、（Ｂ）はその分解斜視図である。
【図２】図１（Ａ）におけるＡ−Ａ線断面図である。
【図３】（Ａ）は本発明の実施形態の一例における手摺を握った状態を示す長手方向から見た模式図であり、（Ｂ）は手摺の上に手のひらを置いた状態を示す長手方向から見た模式図である。
【発明を実施するための形態】
【００１４】
以下、本発明の実施形態の一例における手摺について、図１〜図３を参照して説明する。
【００１５】
（構成）
本実施形態の手摺１０は、特に年配者や病人等の歩行を補助する目的で病院や福祉施設等の廊下に設置される手摺であって、壁面との間に隙間なく連続して取付けられる連続手摺である。
【００１６】
図１（Ａ）、図１（Ｂ）に示すように、本実施形態の手摺１０は、複数（図１（Ａ）では２本）の手摺本体１２と、手摺本体１２にそれぞれ取付けられるカバー部材１４と、手摺本体１２の長手方向の端部に設置される中間ジョイント部材１６及びエンドキャップ１８と、を備えている。
【００１７】
手摺本体１２は、木質の集成材や樹脂材等で構成されており、図２に示す壁面２０に沿って延設された取付部２２と、取付部２２から立ち上がる立上がり部２４と、立上がり部２４の上部に連結された手摺部２６と、手摺部２６の上部に形成された平坦部２８と、を有する。なお、取付部２２、立上がり部２４、手摺部２６、及び平坦部２８は、一体成形により形成されている。
【００１８】
図２に示すように、取付部２２は、壁面２０に当接する取付面３０Ａを有する垂直部３０と、垂直部３０に対して直交する方向に延びる水平部３２と、を有し、長手方向から見て断面が略Ｌ字状とされている。
【００１９】
また、垂直部３０には、垂直部３０を貫通するように雌ネジ穴３４が形成されているとともに、カバー部材１４が嵌合される嵌合溝３６が長手方向に沿って形成されている。さらに、嵌合溝３６の下面には、カバー部材１４が係止される係止突起３８が長手方向に沿って設けられている。
【００２０】
なお、取付部２２の水平部３２の壁面２０から離れた側の端面３２Ａ、及び取付部２２の垂直部３０の下面３０Ｂは、上方に向かって徐々に壁面２０からの距離が大きくなるようにそれぞれ傾斜している。
【００２１】
取付部２２の水平部３２の上面３２Ｂには、立上がり部２４が立設されている。立上がり部２４は、壁面２０に対して間隔をあけて設けられており、図１（Ｂ）に示すように、取付部２２の長手方向に沿って設けられている。また、図２に示すように、立上がり部２４の壁面２０側には、垂直方向に延びる立面２４Ａが形成されている。
【００２２】
立上がり部２４の上部には手摺部２６が設けられている。手摺部２６は、立上がり部２４より幅方向に拡幅されており、図１（Ｂ）に示すように、取付部２２の長手方向に沿って設けられている。
【００２３】
また、図２に示すように、手摺部２６の上面には、水平方向に延びる平坦部２８が形成されている。なお、平坦部２８は略平坦な面とされていればよく、僅かに傾斜した面や、僅かに凹凸等が形成された面とされていてもよい。
【００２４】
手摺部２６の壁面２０側の面は、平坦部２８の端部から手摺部２６の下端部にわたって壁面２０側に凸となる第１曲面２６Ａとされている。さらに、手摺部２６の壁面２０から離れた側の面は、平坦部２８の端部から手摺部２６の下面２６Ｃにわたって壁面２０から離れた側に凸となる第２曲面２６Ｂとされている。
【００２５】
第１曲面２６Ａの下端部は、立上がり部２４の立面２４Ａに連結されている。ここで、第１曲面２６Ａと立面２４Ａとの接続部分は、曲面である第１曲面２６Ａと平面である立面２４Ａとが接する不連続面とされており、接続部分には手摺本体１２の長手方向に沿って角部４０が形成されている。
【００２６】
また、水平面とされた手摺部２６の下面２６Ｃと取付部２２の水平部３２の端面３２Ａとの境には、カバー部材１４が嵌合される嵌合溝４２が長手方向に沿って形成されている。さらに、嵌合溝４２の上面には、カバー部材１４が係止される係止突起４４が長手方向に沿って設けられている。
【００２７】
カバー部材１４は、図１（Ｂ）に示すように、取付部２２の長手方向に沿って延びる平板状のカバー本体１４Ａと、カバー本体１４Ａの短手方向上端部及び短手方向下端部にそれぞれ突出形成された嵌合突起１４Ｂ、１４Ｃと、を備えている。
【００２８】
嵌合突起１４Ｂ、１４Ｃは、カバー本体１４Ａの長手方向に沿って設けられており、互いに同一方向に突出している。また、図２に示すように、嵌合突起１４Ｂ、１４Ｃには、係止突起３８、４４に対応した位置にそれぞれ係止溝４６、４８が形成されている。
【００２９】
中間ジョイント部材１６は、手摺本体１２の長手方向から見た断面形状と略同一の形状とされた平板状のジョイント本体１６Ａと、ジョイント本体１６Ａの両面にそれぞれ突出形成された差込部１６Ｂと、を備えている。
【００３０】
差込部１６Ｂは、手摺本体１２の取付部２２の内周面（垂直部３０の取付面３０Ａに対向する面及び水平部３２の下面）に沿うように、手摺本体１２の長手方向から見て断面がＬ字状とされている。また、差込部１６Ｂには、取付部２２の雌ネジ穴３４に対応する位置に雌ネジ穴５０が形成されている。
【００３１】
エンドキャップ１８は、手摺本体１２の長手方向から見て、手摺本体１２にカバー部材１４を取付けた際の断面形状と略同一の形状とされており、手摺本体１２の長手方向の端部のうち、中間ジョイント部材１６が設置されない端部に設置される。
【００３２】
（取付方法）
本実施形態の手摺１０を壁面２０に取付ける場合、まず、手摺本体１２の取付部２２の取付面３０Ａを壁面２０に当接させ、手摺本体１２の雌ネジ穴３４及び壁面２０にビス５２を螺合することで、手摺本体１２の取付部２２と壁面２０とを固定する。
【００３３】
ここで、手摺本体１２同士の連結部分では、手摺本体１２の長手方向の端部にそれぞれ中間ジョイント部材１６の差込部１６Ｂを差込み、中間ジョイント部材１６の雌ネジ穴５０、手摺本体１２の雌ネジ穴３４、及び壁面２０にビス５２を螺合する。これにより、手摺本体１２の取付部２２と壁面２０とを固定するとともに、中間ジョイント部材１６によって手摺本体１２の長手方向の端部同士を連結する。
【００３４】
次に、手摺本体１２の嵌合溝３６、４２にカバー部材１４の嵌合突起１４Ｂ、１４Ｃをそれぞれ嵌合させることにより、手摺本体１２にカバー部材１４を取付ける。このとき、カバー部材１４のカバー本体１４Ａは、取付部２２の水平部３２の端面３２Ａ、及び取付部２２の垂直部３０の下面３０Ｂに沿って配置される。
【００３５】
また、手摺本体１２の手摺部２６の第２曲面２６Ｂの接線上に、カバー部材１４のカバー本体１４Ａの表面が位置する。その後、手摺本体１２の長手方向の最端部（手摺本体１２同士が連結されていない部分）に、エンドキャップ１８を嵌込むことで、壁面２０に沿って連続して固定される手摺１０が完成する。
【００３６】
（作用、効果）
本実施形態の手摺１０を使用者が使用する場合、図３（Ａ）に示すように、手摺本体１２の平坦部２８に手のひらを置くことによって身体を支えることができる。また、図３（Ｂ）に示すように、手摺本体１２の手摺部２６を握ることによっても、身体を支えることができる。
【００３７】
本実施形態によれば、手摺１０の手摺部２６の上面に平坦部２８が形成されている。このため、手摺部２６の上面が湾曲面とされている構成と比較して、図３（Ａ）に示すように、使用者が手摺部２６の上面に手のひらを置き易く、握力が弱って手摺１０を握ることができない年配者であっても、容易に手摺１０で身体を支えることができる。
【００３８】
また、手摺１０の手摺部２６に第１曲面２６Ａ及び第２曲面２６Ｂが形成されており、第１曲面２６Ａの下端部に角部４０を有する不連続面が形成されている。このため、図３（Ｂ）に示すように、使用者は第１曲面２６Ａ及び第２曲面２６Ｂに沿って手摺部２６を握ることができるとともに、手摺部２６を握った際に指先が角部４０に当接するため、第１曲面２６Ａの下端部に連続面が形成されている構成と比較して、手摺部２６が握り易い。
【００３９】
また、本実施形態によれば、手摺本体１２の嵌合溝３６、４２にカバー部材１４の嵌合突起１４Ｂ、１４Ｃを嵌合させることにより、手摺本体１２にカバー部材１４を容易に取付けることができる。このとき、カバー部材１４の係止溝４６、４８に手摺本体１２の係止突起３８、４４が係止されるため、手摺本体１２からカバー部材１４が外れることを抑制することができる。
【００４０】
さらに、手摺本体１２にカバー部材１４を取付けた際に、手摺部２６の第２曲面２６Ｂの接線上にカバー本体１４Ａの表面が位置する。このため、壁面２０から離れた側において、手摺１０に出っ張り部分がないため、使用者が手摺１０を使用した際に手摺１０に引っ掛かることを抑制することができる。
【００４１】
また、本実施形態によれば、手摺本体１２の取付部２２が壁面２０との間に隙間なく連続して取付けられているとともに、手摺本体１２の長手方向の端部同士が中間ジョイント部材１６で連結され、手摺本体１２の長手方向の最端部がエンドキャップ１８によって覆われている。このため、使用者が手摺本体１２と壁面２０との隙間や手摺本体１２の端部に紐等を引っ掛かけて自損行為を行うことを抑制することができる。
【００４２】
（その他の実施形態）
なお、本発明について実施形態の一例を説明したが、本発明はかかる実施形態に限定されるものではなく、本発明の範囲内にて他の種々の実施形態が可能である。
【００４３】
例えば、上記実施形態では、手摺本体１２の嵌合溝３６、４２にカバー部材１４の嵌合突起１４Ｂ、１４Ｃを嵌合させることにより、手摺本体１２にカバー部材１４を取付けていた。しかし、カバー部材１４の形状や手摺本体１２への取付け方法は、上記実施形態には限られず、ビス留め等によってカバー部材１４を手摺本体１２に取付けてもよい。
【００４４】
また、上記実施形態では、手摺本体１２の取付部２２、立上がり部２４、手摺部２６、及び平坦部２８が一体成形により形成されていた。しかし、取付部２２、立上がり部２４、手摺部２６、及び平坦部２８は、それぞれ別体に成形されてボルト等によって連結されていてもよい。
【００４５】
さらに、手摺本体１２の壁面２０への固定方法や手摺本体１２同士の連結方法等についても、接着剤による接着やボルト結合等、様々な方法を用いることができる。
【符号の説明】
【００４６】
１０          手摺
１２          手摺本体
１４          カバー部材
２０          壁面
２２          取付部
２４          立上がり部
２４Ａ        立面
２６          手摺部
２６Ａ        第１曲面
２６Ｂ        第２曲面
２８          平坦部
【図１】
2018028213.tif 000003
【図２】
2018028213.tif 000004
【図３】
2018028213.tif 000005